(57)【要約】【課題】調剤が正しく行われた否かを簡単かつ確実に確認することができ、高い安全管理を実現することのできる自動調剤装置を提供する。【解決手段】複数の薬剤容器から薬剤を採取し、所定量ずつ調製容器１２に供給して混合調製する自動調剤装置において、薬剤の成分関連特性を測定する測定手段１３３と、調製容器１２内の薬剤を測定手段１３３に導入する測定用薬剤移送手段１３１，１３２とを設ける。測定手段１３３は、測定用薬剤移送手段１３１，１３２によって導入された薬剤と接触する電極を含み該電極を用いて前記薬剤のｐＨや特定のイオン濃度を測定するものや、測定用薬剤移送手段１３１，１３２によって導入された薬剤に測定光を照射する投光手段と該流路を通過した光を検出する光検出器とを含み、該投光手段及び光検出器を用いて薬剤の吸光度や濁度を測定するものなどとすることができる。【選択図】図５
2010022579.tif 000002
【特許請求の範囲】
【請求項１】
複数の薬剤容器から薬剤を採取し、所定量ずつ調製容器に供給して混合調製する自動調剤装置において、
a)薬剤の成分関連特性を測定する測定手段と、
b)前記調製容器内の薬剤を前記測定手段に導入する測定用薬剤移送手段と、
を有することを特徴とする自動調剤装置。
【請求項２】
複数の薬剤容器から薬剤を採取し、所定量ずつ調製容器に供給して混合調製する自動調剤装置において、
上記調製容器中に収容された状態の薬剤の成分関連特性を測定する測定手段を有することを特徴とする自動調剤装置。
【請求項３】
上記測定手段が、上記測定用薬剤移送手段によって導入された薬剤又は調製容器中の薬剤と接触する電極を含み、該電極を用いて前記薬剤の化学的性質を測定するものであることを特徴とする請求項１又は２に記載の自動調剤装置。
【請求項４】
上記測定手段が、上記測定用薬剤移送手段によって導入された薬剤又は調製容器中の薬剤に測定光を照射する投光手段と該薬剤を通過した光を検出する光検出器とを含み、該投光手段及び光検出器を用いて上記測定用薬剤移送手段によって導入された薬剤又は上記調製容器中の薬剤の光学的性質を測定するものであることを特徴とする請求項１又は２に記載の自動調剤装置。
【請求項５】
複数の薬剤容器から薬剤を採取し、所定量ずつ調製容器に供給して混合調製する自動調剤装置において、
上記調製容器から成分関連特性の測定に供するための所定量の薬剤を採取して所定の容器に供給する測定用薬剤移送手段を有することを特徴とする自動調剤装置。
【請求項６】
複数の薬剤容器から薬剤を採取し、所定量ずつ調製容器に供給して混合調製する自動調剤装置において、
前記調製容器から所定量の薬剤を採取して外部の測定装置に移送する測定用薬剤移送手段を備え、
該測定用薬剤移送手段が、所定の測定装置に接続される移送流路と、前記調製容器中の薬剤を前記移送流路を介して前記測定装置に導入する送薬手段とを有することを特徴とする自動調剤装置。
【請求項７】
a)複数の薬剤容器から薬剤を採取し、所定量ずつ調製容器に供給して混合調製する自動調剤装置であって、前記調製容器中の薬剤を所定量採取して後述の測定装置に移送する手段を備えた自動調剤装置と、
b)上記自動調剤装置から移送された薬剤の成分関連特性を測定する測定装置と、
を有することを特徴とする調剤システム。
【請求項８】
更に、
c)上記測定装置で得られた測定結果を取得して処方データと照合する照合手段と、
d)該照合手段による照合結果をユーザに通知する通知手段と、
を有することを特徴とする請求項７に記載の調剤システム。
【発明の詳細な説明】
【技術分野】
【０００１】
本発明は、自動調剤装置及びそれを用いた調剤システムに関する。
【背景技術】
【０００２】
医療機関や薬局等における調剤作業は、医師の処方箋に基づいて薬剤師等の調剤担当者が手作業で行うのが一般的である。例えば、注射薬を混合調製する場合には、処方箋に記載された配合や投与量に基づいて調剤担当者が必要な薬液を所定量ずつ量り取って混合している。しかしながら、このような手作業による調剤作業は非常に煩雑であることから従来より省力化が強く望まれている。
【０００３】
そこで、こうした調剤作業を自動的に行うことのできる自動調剤装置が種々提案されており、例えば、特許文献１には装置内に配置された複数の薬瓶を自動的に識別する機能を備え、処方箋データに従って各薬瓶から水薬を量り取って混合調製する自動調剤装置が記載されている。
【０００４】
【特許文献１】特開2007-14463号公報
【発明の開示】
【発明が解決しようとする課題】
【０００５】
調剤業務には高い安全管理が求められるため、手作業による調剤では、各薬剤容器から薬剤を量り取って混合する際に、薬剤の種類や量が適切であるか否かを調剤担当者が目視にて確認している。また、上記従来の自動調剤装置では、重量センサや容量センサによって調剤前後における各容器内の薬剤の重量又は体積を計測し、これに基づいて各薬剤が適切に供給されたか否かを確認している。しかしながら、こうした従来の方法は、作業性や確実性の点で必ずしも十分なものとはいえなかった。
【０００６】
そこで、本発明が解決しようとする課題は、調剤が正しく行われた否かを簡単かつ確実に確認することができ、高い安全管理を実現することのできる自動調剤装置を提供することである。
【課題を解決するための手段】
【０００７】
上記課題を解決するために成された本発明の第１の態様に係る自動調剤装置は、
複数の薬剤容器から薬剤を採取し、所定量ずつ調製容器に供給して混合調製する自動調剤装置において、
a)薬剤の成分関連特性を測定する測定手段と、
b)前記調製容器内の薬剤を前記測定手段に導入する測定用薬剤移送手段と、
を有することを特徴としている。
【０００８】
また、上記課題を解決するために成された本発明の第２の態様に係る自動調剤装置は、
複数の薬剤容器から薬剤を採取し、所定量ずつ調製容器に供給して混合調製する自動調剤装置において、
上記調製容器中に収容された状態の薬剤の成分関連特性を測定する測定手段を有することを特徴としている。
【０００９】
なお、本発明において、「成分関連特性を測定する」とは、薬剤に含まれている成分の種類や量に関連する特性を測定することを意味する。このような測定として、例えば、クロマトグラフィや電気泳動等の分離分析法、吸光度測定や濁度測定等の分光分析法、ｐＨ測定や所定のイオン濃度の測定等の電気化学分析法、又は質量分析法等の手法による測定を挙げることができるが、これに限定されるものではない。
【００１０】
上記本発明の第１の態様又は第２の態様に係る自動調剤装置における測定手段は、上記測定用薬剤移送手段によって導入された薬剤又は調製容器中の薬剤と接触する電極を含み、該電極を用いて前記薬剤の化学的性質を測定するものとすることができる。これにより、例えば、薬剤のｐＨや所定のイオン濃度等を測定することができる。
【００１１】
また、上記本発明の第１の態様又は第２の態様に係る自動調剤装置における測定手段は、上記測定用薬剤移送手段によって導入された薬剤又は調製容器中の薬剤に測定光を照射する投光手段と該薬剤を通過した光を検出する光検出器とを含み、該投光手段及び光検出器を用いて上記測定用薬剤移送手段によって導入された薬剤又は上記調製容器中の薬剤の光学的性質を測定するものとしてもよい。これにより、例えば、薬剤の吸光度や濁度を測定することができる。
【００１２】
上記第１の態様又は第２の態様に係る自動調剤装置によれば、上記測定手段によって調剤過程又は調剤完了後における調製容器内の薬剤の成分関連特性を測定することにより、適切な工程管理又は最終品の信頼性確保に寄与することができる。また、自動調剤装置の内部において薬剤の検査が実行されるため、抗がん剤等の調製及び検査を行う場合であっても、薬剤による汚染範囲を最小限に留めることができる。
【００１３】
本発明に係る自動調剤装置は、上記のように装置内で薬剤の検査を行う構成に限らず、外部装置による検査に供するために、調製容器から所定量の薬剤を採取する機能を備えたものとしてもよい。
【００１４】
即ち、上記課題を解決するために成された本発明の第３の態様に係る自動調剤装置は、
複数の薬剤容器から薬剤を採取し、所定量ずつ調製容器に供給して混合調製する自動調剤装置において、
上記調製容器から成分関連特性の測定に供するための所定量の薬剤を採取して所定の容器に供給する測定用薬剤移送手段を有することを特徴とする。
【００１５】
従来、自動調剤装置による調剤後に、手作業で調製容器中の薬剤を抜き取って成分関連特性の測定を行おうとすると、病原体による薬剤の汚染や抗がん剤等による周辺環境の汚染を防止するためにクリーンベンチ内で作業を行う必要があり、調剤作業の繁雑化を招くおそれがあった。これに対し、上記本発明の第３の態様に係る自動調剤装置によれば、測定用薬剤移送手段によって調製容器中の薬剤が所定量抜き取られて所定の容器に収容されるため、調剤担当者が手作業による薬剤の抜き取りを行う必要がない。また、上記所定の容器として、成分関連特性の測定に使用する測定装置（例えばＨＰＬＣ装置）に付設されたオートサンプラに直接セット可能なバイアル瓶等を使用すれば、該所定の容器から薬剤を手作業で抜き取って測定装置に注入する手間を省くこともでき、更なる省力化が可能となる。
【００１６】
また、本発明に係る自動調剤装置は、調製容器から抜き取った薬剤を外部の測定装置に直接導入する構成としてもよい。
【００１７】
すなわち、本発明の第４の態様に係る自動調剤装置は、
複数の薬剤容器から薬剤を採取し、所定量ずつ調製容器に供給して混合調製する自動調剤装置において、
前記調製容器から所定量の薬剤を採取して外部の測定装置に移送する測定用薬剤移送手段を備え、
該測定用薬剤移送手段が、所定の測定装置に接続される移送流路と、前記調製容器中の薬剤を前記移送流路を介して前記測定装置に導入する送薬手段とを有することを特徴とする。
【００１８】
また、上記課題を解決するために成された本発明の第５の態様に係る自動調剤システムは、
a)複数の薬剤容器から薬剤を採取し、所定量ずつ調製容器に供給して混合調製する自動調剤装置であって、前記調製容器中の薬剤を所定量採取して後述の測定装置に移送する手段を備えた自動調剤装置と、
b)上記自動調剤装置から移送された薬剤の成分関連特性を測定する測定装置と、
を有することを特徴としている。
【００１９】
なお、上記本発明の第４の態様に係る自動調剤装置及び本発明の第５の態様に係る調剤システムにおける測定装置は、特に限定されるものではないが、例えば、ＨＰＬＣ装置、質量分析装置、分光光度計、又は電気泳動装置等を用いることができる。
【００２０】
また、上記本発明に係る調剤システムは、更に、
c)上記測定装置で得られた測定結果を取得して処方データと照合する照合手段と、
d)該照合手段による照合結果をユーザに通知する通知手段と、
を備えたものとすることが望ましい。
【００２１】
上記処方データとは薬剤の処方に関する情報であり、通常は医師の処方箋に基づいて生成され、少なくとも調剤に用いる薬剤を特定するための情報（薬剤名又は薬剤に固有のコード等）と各薬剤の配合に関する情報を含んでいる。なお、該処方データは、ユーザからの指示に応じて上記照合手段に設けられた記憶装置を検索することで取得するようにしてもよく、通信ネットワークを介して外部の記憶装置から取得するようにしてもよい。
【発明の効果】
【００２２】
上記構成を有する本発明に係る自動調剤装置、又は調剤システムによれば、調剤が正しく行われたか否かを簡単かつ確実に確認することができるため、高い安全性を確保することが可能となる。また、調剤過程で調製容器内の薬剤を適宜検査することで、より適切な工程管理を実現することもできる。
【発明を実施するための最良の形態】
【００２３】
以下、本発明を実施するための最良の形態について実施例に基づいて説明する。
【実施例１】
【００２４】
図１は、本実施例に係る自動調剤装置１００を示す斜視図であり、図２は該自動調剤装置１００の機能的構成を示すブロック図である。なお、自動調剤装置１００には開閉可能な扉を設けることが望ましいが、簡略化のため、ここでは図示を省略している。
【００２５】
本実施例の自動調剤装置１００は、薬剤容器１１や調製容器１２等を収容可能な収容部１１０と、収容部１１０内に収容された複数の薬剤容器１１から薬剤を所定量ずつ抜き出して調製容器１２に供給する薬剤調製部１２０と、調剤担当者等が処方データ等を入力するための入力部１４０と、薬剤を検査するための薬剤検査部１３０と、薬剤検査部１３０による検査の結果等を表示するための表示部１５０と、前記各部の動作を制御するための制御部１６０とを備えている。なお、薬剤検査部１３０は本発明の自動調剤装置における測定手段に相当する。入力部１４０から制御部１６０へ処方データが入力されると、制御部１６０は、該処方データに従って薬剤調製部１２０の動作を制御して自動調剤を実行し、その後、薬剤検査部１３０の動作を制御して調製済み薬剤の検査を実行する（詳細は後述する）。なお、本実施例の自動調剤装置１００には、更に、外部装置と通信するための通信部を設け、該通信部を介して各種処方データを記憶したパーソナルコンピュータ等から処方データを取得する構成としてもよい。
【００２６】
なお、収容部１１０には、調剤に使用する薬剤が収容された薬剤容器１１及び各薬剤容器１１から採取された薬剤を収容するための調製容器１２の他、薬剤容器１１から調製容器１２へ薬剤を移送するための輸液チューブ１３やシリンジ１４等をセットすることができる。薬剤調製部１２０には、輸液チューブ１３を介して薬剤を吸引するためのポンプや該ポンプに接続される輸液チューブ１３を切り替えるためのバルブ、又はシリンジ１４及び該シリンジ１４に嵌挿されたプランジャを駆動して薬剤の吸引・吐出動作を行うシリンジ駆動機構等が設けられており、制御部１６０の制御の下で、該ポンプやバルブ、又はシリンジ駆動機構を駆動することにより、薬剤容器１１から所定量の薬剤を吸引して調製容器１２へと供給することができる。
【００２７】
図３は、こうした薬剤調製部１２０の構成例であり、各薬剤容器１１ａ，ｂと調製容器１２を輸液チューブ１３で接続し、ポンプを用いて薬剤の移送を行う場合の構成を模式的に示す。図３(a)は、各薬剤容器１１ａ，ｂのそれぞれに対して送液ポンプ１２１ａ，ｂを備え、制御部１６０によって送液ポンプ１２１ａ，ｂを制御することで各薬剤容器１１ａ，ｂから所定量の薬剤を吸引して調製容器１２に導入するものである。
【００２８】
また、図３(b)は、１つの送液ポンプ１２１ｃによって薬剤の移送を行うものであり、制御部１６０によって送液ポンプ１２１ｃを制御すると共に、各薬剤容器１１ａ，ｂのそれぞれに設けられたバルブ１２３ａ，ｂの開閉を制御することにより、各薬剤容器１１ａ，ｂから所定量の薬剤を吸引して調製容器１２に導入するものである。
【００２９】
図４は、薬剤移送機構の別の構成例であり、シリンジを用いて薬剤の移送を行う場合の構成を模式的に示す。図４(a)は、シリンジ駆動部１２５によってシリンジ１４ａ全体を上下させると共に水平方向に所定範囲内で移動させ、プランジャ駆動部１２４によって該シリンジ１４ａに嵌挿されたプランジャ１５ａを押し入れ又は引き出すものである。シリンジ駆動部１２５及びプランジャ駆動部１２４は、それぞれモータ等の駆動源を含んでおり、制御部１６０によってこれらを所定の手順で動作させることにより、収容部１１０内の所定の位置に保持されたニードル１６ａやフィルタ１２２（後述する）をシリンジ１４ａに着脱すると共に、薬剤容器１１から所定量の薬液を吸引して調製容器１２に注入することができる。
【００３０】
図４(b)は、シリンジ自体は移動させずに該シリンジの先端に接続された輸液チューブを介して薬剤の吸引及び吐出を行うものである。シリンジ固定部１２６によってシリンジ１４ａを収容部１１０内の所定の位置に固定し、プランジャ駆動部１２４によって該シリンジ１４ａに嵌挿されたプランジャ１５ａの押し入れ又は引き出しを行う。シリンジ１４ａの先端には三方弁１７ａを介して２本の輸液チューブ１３ａ，ｂが接続されており、輸液チューブ１３ａの一端は薬剤容器１１に挿入され、輸液チューブ１３ｂの一端は調製容器１２に挿入されている。プランジャ駆動部１２４によってプランジャ１５ａを引き出すと、薬剤容器１１中の薬剤が輸液チューブ１３ａを介してシリンジ１４ａ内に吸引され、続いてプランジャ１５ａを押し込むとシリンジ１４ａ内の薬剤が輸液チューブ１３ｂを介して調製容器１２に吐出される。なお、ここでは、簡略化のため薬剤容器１１を１本のみ図示したが、複数の薬剤容器１１から薬剤を移送する場合には、薬剤容器１１毎にシリンジ固定部１２６及びプランジャ駆動部１２４を設ける。
【００３１】
なお、薬剤の調製過程では、アンプルのガラス片やゴム栓付バイアルにニードルを刺したときに出るゴム栓片等の異物が薬剤に混入するおそれがあるため、図３及び図４に示すように薬剤を薬剤容器１１から調製容器１２に移送する際の経路上に異物を除去するためのフィルタ１２２を設けることが望ましい。なお、こうした薬剤のフィルトレーションは調剤完了後に行うようにしてもよい。その場合、例えば、図３又は図４に示したようなポンプやシリンジを用いて調製容器１２中の薬剤を他の容器に移送し、その際の経路上にフィルタを設けることで異物の除去を行う構成等が考えられる。
【００３２】
また、病原体による薬剤の汚染を防止するため、本実施例に係る自動調剤装置１００は、図１に示すように収容部１１０内に紫外線を照射するための殺菌灯１１１を備えている。これにより、調剤開始前及び／又は調剤実行中に殺菌灯１１１を点灯することで収容部１１０内に配設された各種機材、容器、又は薬剤を殺菌することができる。なお、殺菌消毒綿等によって薬剤容器１１や調製容器１２の口元等を自動的に清掃する機構を設けてもよい。
【００３３】
本実施例に係る自動調剤装置１００は、調剤完了後に調製容器１２の内容物を検査するための薬剤検査部１３０を備える点に特徴を有している。以下、この点について詳しく説明する。
【００３４】
図５は、本実施例の自動調剤装置１００における薬剤検査部１３０の構成を模式的に示した図である。薬剤検査部１３０は、調製容器１２中の薬剤が導入される検査流路１３１と、該検査流路１３１に薬剤を導入するための送液ポンプ１３２と、検査流路１３１から排出された薬剤を収容する廃液槽２０と、検査流路１３１上に設けられた測定器１３３と、測定器１３３からの出力信号を処理する信号処理部１３４とを備えている。送液ポンプ１３２及び測定器１３３の動作は、制御部１６０によって制御されており、薬剤調製部１２０による自動調剤が完了した後に、送液ポンプ１３２によって調製容器１２中の薬剤を所定量だけ検査流路１３１に導入し、測定器１３３による該薬剤の検査を実行する。
【００３５】
測定器１３３としては、例えば図６(a)に示すような、測定対象とするイオンに対応したイオン選択性電極４５と参照電極４１とを備えた従来既知のフロースルー型のイオンセンサ等を使用することができる。イオン選択性電極４５と検査流路１３１との境界にはイオン選択性膜４６が張られており、電極４５の内部には内部電極４７が挿入され、内部液４８が満たされている。また、参照電極４１と検査流路１３１との境界には液絡部４２が設けられており、電極４１の内部には内部電極４３が挿入され、リファレンス液４４が満たされている。なお、図６(b)のように、対象とするイオンの異なる複数のイオン選択性電極（例えば、ナトリウムイオン用電極４５ａ、カリウムイオン用電極４５ｂ、及び塩素イオン用電極４５ｃ）を設けることにより複数種類のイオンの濃度を測定できるようにしてもよい。イオンセンサからの検出信号は信号処理部１３４に入力され、これに基づいて検査流路１３１中の薬剤のｐＨや所定のイオン濃度等が算出される。
【００３６】
また、測定器１３３は図７に示すように、ランプ光源５１、分光器５２、及び光検出器５３を有し、検査流路１３１を通過する薬剤の光学的性質を測定する構成としてもよい。光源５１から発せられた光は分光器５２に導入され、ここで制御部１６０の指示の下に、特定の波長を有する単色光が取り出される。この単色光は検査流路１３１を通過して光検出器５３に入射する。光検出器５３からの検出信号は信号処理部１３４に入力され、これに基づいて検査流路１３１中の薬剤の吸光度や濁度等が算出される。なお、ランプ光源５１と分光器５２の代わりに所定波長の光を発する発光ダイオード（LED）を用いる構成としてもよい。
【００３７】
また更に、薬剤検査部１３０は、上記のように薬剤を検査流路１３１内で測定する構成とするほか、調製容器内１２内の薬剤を検査流路１３１を介して所定の測定用容器に導入し、該測定用容器内に電極を挿入して所定のイオン濃度を測定したり、該測定容器中の薬剤に光を照射して分光分析を行ったりする構成としてもよい。
【００３８】
以上により得られた検査結果は、表示部１５０に表示される。これにより、調剤担当者等が表示部１５０に表示された検査結果を参照することで自動調剤が正しく行われたか否かを確認することができる。また、検査結果は図示しない記録部によって紙や磁気ディスク又は光ディスク等の記録媒体に記録するようにしてもよい。
【００３９】
なお、薬剤検査部１３０は、薬剤を検査流路１３１に導入せずに、調製容器１２に収容した状態で検査を行う構成としてもよい。このような場合の構成を図８に示す。これは、図７と同様の測定器を利用して調製容器１２中の薬剤の検査を行うものであり、ランプ光源５４、分光器５５、及び光検出器５６を備え、分光器５５から出射された単色光が調製容器１２を通過して光検出器５６に入射し、光検出器５６の検出信号に基づいて調製容器１２中の薬剤の吸光度や濁度等が算出される。
【実施例２】
【００４０】
続いて、本発明の第２の実施例に係る自動調剤装置１００及び該自動調剤装置１００を備えた調剤システムについて説明する。図９は、本実施例に係る調剤システムの全体構成を示すブロック図である。本実施例の調剤システムは、医療機関内等に構築されたローカルエリアネットワーク（LAN）等の通信ネットワーク２００、医師用端末３００、処方データ管理サーバ４００、自動調剤装置１００、高速液体クロマトグラフ装置（以下、ＨＰＬＣ装置と呼ぶ）５００、及び解析装置６００を含んでおり、解析装置６００には、表示部７００と記録部８００が接続されている。
【００４１】
処方データ管理サーバ４００は、医師の処方箋を基に生成された処方データを記憶するものであり、医師用端末３００から入力された処方箋情報が、通信ネットワーク２００を介して医療機関の調剤部等に設けられた処方データ管理サーバ４００に送出され、該処方箋情報から処方データが生成されて処方データ管理サーバ４００内の記憶部（図示略）に記憶される。
【００４２】
自動調剤装置１００は、図１０に示すような構成を有するものであり、薬剤容器１１や調製容器１２等を収容可能な収容部１１０と、収容部１１０内に収容された複数の薬剤容器１１から薬剤を所定量ずつ抜き出して調製容器１２に供給する薬剤調製部１２０と、通信ネットワーク２００に接続された通信部１８０と、調製容器１２中の薬剤の一部を採取してＨＰＬＣ装置５００に移送するための測定用薬剤移送部１７０と、前記各部の動作を制御するための制御部１６０とを備えている。通信部１８０を介して処方データ管理サーバ４００から制御部１６０へ処方データが入力されると、制御部１６０は、該処方データに従って薬剤調製部１２０の動作を制御して自動調剤を実行し、続いて、測定用薬剤移送部１７０の動作を制御して調製済み薬剤の一部をＨＰＬＣ装置５００に送出する（詳細は後述する）。なお、本実施例の自動調剤装置１００における薬剤調製部１２０は、実施例１で説明したものと同様の機構とすることができる。
【００４３】
本実施例に係る自動調剤装置１００は、調剤完了後に調製容器１２の内容物の一部を採取してＨＰＬＣ装置５００に送出するための測定用薬剤移送部１７０を備える点に特徴を有している。図１１に自動調剤装置１００の測定用薬剤移送部１７０及びＨＰＬＣ装置５００の概略構成を示す。測定用薬剤移送部１７０は、調製容器１２から薬剤を採取してＨＰＬＣ装置５００に送るための検査流路１７１と、検査流路１７１上に設けられた送液ポンプ１７２を備えている。
【００４４】
ＨＰＬＣ装置５００は、溶離液槽５１０、送液ポンプ５２０、試料導入部５３０、カラム５４０、カラムオーブン５５０、検出器５６０、信号処理部５７０、通信部５９０、及び前記各部を制御する制御部５８０を含む。送液ポンプ５２０により溶離液槽５１０から吸引された溶離液は一定流量で以てカラム５４０に送られる。試料導入部５３０には、自動調剤装置１００から延出した検査流路１７１の終端が接続されており、調製容器１２から吸引された所定量の薬剤が、試料導入部５３０から溶離液の流れに注入される。溶離液に乗ってカラム５４０に送り込まれた薬剤は、カラム５４０を通過する間に成分分離され、時間的にずれてカラム５４０から出て検出器５６０に到達する。検出器５６０は例えば分光光度計であって、到達した薬剤成分を順次検出する。この検出信号がＡ／Ｄ変換されて信号処理部５７０へ送られ、これを元にクロマトグラムが作成され、通信部５９０及び通信ネットワーク２００を介して解析装置６００に送出される。
【００４５】
解析装置６００は、ＨＰＬＣ装置５００から出力された上記クロマトグラムを受け取り、これを表示部７００に表示すると共に、記録部８００に記録する。ここで記録部８００は該クロマトグラムを紙に印刷するものであってもよく、磁気ディスクや光ディスク等の記録媒体に記録するものであってもよい。なお、解析装置６００は、更に、ＨＰＬＣ装置５００で測定された薬剤に対応する処方データを処方データ管理サーバ４００から取得し、前記ＨＰＬＣ装置５００による測定結果と照合して調剤担当者等に通知する機能を備えたものとすることが望ましい。この場合、解析装置６００は、例えば前記処方データから予想されるクロマトグラムとＨＰＬＣ装置５００で得られたクロマトグラムとを比較し、両者の類似度から自動調剤が適切に行われたか否かを判定する。
【００４６】
また、本実施例に係る自動調剤装置１００は、上記のように調製容器１２中の薬剤を外部の測定装置に直接導入する構成の他に、調製容器１２中の薬剤を収容部１１０内に配置した所定の検査用容器に移送する構成とすることもできる。このような場合の測定用薬剤移送部１７０の構成を図１２に示す。測定用薬剤移送部１７０は、送液流路１７３と送液流路１７３上に設けられた送液ポンプ１７４を有し、送液ポンプ１７４によって調製容器１２から所定量の薬剤を吸引して所定の検査用容器３０に移送する。
【００４７】
この場合、薬剤の調製及び検査用容器３０への薬剤移送が完了した後に、調剤担当者等が検査用容器３０を収容部１１０から取り出し、該容器３０中の薬剤をＨＰＬＣ装置５００等によって検査する。このとき、検査用容器３０として、ＨＰＬＣ装置５００に付設されたオートサンプラにセット可能なバイアル瓶等を使用すれば、検査用容器３０をオートサンプラにセットするだけで容易に検査を行うことができる。また、収容部１１０から取り出した薬剤入りの検査用容器３０をそのまま保管しておき、後に必要が生じた場合にのみ検査を行うようにしてもよい。
【００４８】
以上、本発明を実施するための最良の形態について実施例を用いて説明したが、本発明は上記実施例に限定されるものではなく、本発明の趣旨の範囲で適宜変更が許容される。
【００４９】
例えば、実施例１又は実施例２に係る自動調剤装置１００において調製容器１２中の薬剤を検査流路１３１又は１７１に導入する手段としては、図５又は図１１に示したような送液ポンプを用いる方式のほか、図１３に示すようなシリンジを用いる方式とすることもできる。図１３(a)は、シリンジ１４ｂによって調製容器１２中の薬剤を吸引した後、シリンジ１４ｂを検査流路１３１又は１７１の入り口に設けられた注入ポート１９３上に移動させ、そこから薬剤を注入するものである。シリンジ駆動部１９２は、シリンジ１４ｂ全体を上下させると共に水平方向に所定範囲内で移動させるものであり、プランジャ駆動部１９１は、該シリンジ１４ｂに嵌挿されたプランジャ１５ｂを押し入れ又は引き出すものである。シリンジ駆動部１９２及びプランジャ駆動部１９１は、それぞれモータ等の駆動源を含んでおり、制御部１６０はそれぞれのモータの動作量を制御することでシリンジ１４ｂの移動動作やプランジャ１５ｂの摺動動作を制御する。なお、シリンジ１４ｂ及びシリンジ駆動部１９２やプランジャ駆動部１９１は薬剤調製部１２０で使用されるものと同一のものを共通して用いるようにしてもよい。
【００５０】
薬剤調製部１２０による自動調剤が完了すると、制御部１６０は、まずシリンジ駆動部１９２によりシリンジ１４ｂを調製済みの薬剤が入った調製容器１２の上に移動させ、更にシリンジ下端のニードル１６ｂの先端が前記薬剤中に浸漬するまでシリンジ１４ｂを下降させる（図１３(a)中の一点鎖線ａで示す位置）。そして、プランジャ駆動部１９１によりプランジャ１５ｂを所定長さだけ引くことにより所定量の薬剤をシリンジ１４ｂ内に吸引する。続いて制御部１６０は、シリンジ駆動部１９２によりシリンジ１４ｂを注入ポート１９３の上に移動させ、更にニードル１６ｂが注入ポート１９３内に到達するまでシリンジ１４ｂを下降させる（図１３(a)中の一点鎖線ｂで示す位置）。そして、プランジャ駆動部１９１によりプランジャ１５ｂを所定長さだけ押し込むことにより、シリンジ１４ｂ内に保持されていた薬剤をニードル１６ｂを通して注入ポート１９３に注入する。これにより所定量の薬剤が検査流路１３１又は１７１に導入され、自動調剤装置１００内の薬剤検査部１３０又は外部の測定装置によって検査される。
【００５１】
図１３(b)は、シリンジ自体は移動させずに該シリンジの先端に接続された輸液チューブ１３を介して薬剤の吸引及び吐出を行うものである。シリンジ固定部１９３はシリンジ１４ｂを収容部１１０内の所定の位置に固定し、プランジャ駆動部１９１は該シリンジ１４ｂに嵌挿されたプランジャ１５ｂの押し入れ又は引き出しを行う。シリンジ１４ｂの先端には三方弁１７ｂを介して２本の輸液チューブ１３ｃ，ｄが接続されており、輸液チューブ１３ｃの一端は調製容器１２に挿入され、輸液チューブ１３ｄの一端は検査流路１３１又は１７１に接続されている。薬剤調製部１２０による自動調剤が完了すると、制御部１６０はプランジャ駆動部１９１によりプランジャ１５ｂを所定長さだけ引くことで輸液チューブ１３ｃを介して調製容器１２から所定量の薬剤をシリンジ１４ｂ内に吸引する。ついで制御部１６０はプランジャ駆動部１９１によりプランジャ１５ｂを所定長さだけ押し込むことによりシリンジ１４ｂ内に保持されていた薬剤を輸液チューブ１３ｄを介して検査流路１３１又は１７１に送出する。これにより所定量の薬剤が検査流路１３１又は１７１に導入され、自動調剤装置１００内の薬剤検査部１３０又は外部の測定装置で検査される。
【００５２】
また、上記実施例では自動調剤が完了した後に、調製済み薬剤を検査するものとしたが、自動調剤の各ステップ毎に調製容器１２中の薬剤を検査し、調剤が適切に行われているかを確認するようにしてもよい。これにより、調剤ミスを早期に発見して自動的に調剤を中止することができ、薬剤の無駄や時間的損失を最小限に抑えることができる。
【００５３】
更に、本発明に係る自動調剤装置には、収容部１１０内を撮影するためのＣＣＤカメラ等の撮像手段を設け、調剤過程又は調剤終了時点での収容部１１０内の様子を撮影し、紙や所定の記憶媒体に記録できる構成とするとより望ましい。これにより、該画像を参照することで、収容部１１０に収容されていた各容器のラベルや薬剤の液量又は色などを確認することが可能となり、過去の調剤が適切に行われていたか否かを検証することができるようになる。
【００５４】
また、本発明に係る調剤システムにおいては、照合手段及び通知手段を自動調剤装置と一体に構成し、ＨＰＬＣによる測定結果を自動調剤装置で受け取って、処方データとの照合や結果の通知等を行うようにしてもよい。
【図面の簡単な説明】
【００５５】
【図１】本発明の実施例１に係る自動調剤装置を示す斜視図。
【図２】同実施例に係る自動調剤装置の機能的構成を表すブロック図。
【図３】同実施例の自動調剤装置における薬剤調製部の構成例を示す模式図であり、(a)は複数のポンプを用いるものを示し、(b)は複数のバルブを用いるものを示す。
【図４】同実施例の自動調剤装置における薬剤調製部の別の構成例を示す模式図であり、(a)はシリンジを移動させて薬剤を移送するものを示し、(b)はシリンジを移動させずに薬剤を移送するものを示す。
【図５】同実施例の自動調剤装置における薬剤検査部の構成を示す模式図。
【図６】上記薬剤検査部における測定器の概略構成を示す模式図であり、(a)は１種類のイオン選択性電極を備えた測定器の構成例を示し、(b)は複数種類のイオン選択性電極を備えた測定器の構成例を示す。
【図７】上記薬剤検査部における測定器の別の構成例を示す模式図。
【図８】同実施例の自動調剤装置における薬剤検査部の他の例を示す模式図。
【図９】本発明の実施例２に係る自動調剤システムを示すブロック図。
【図１０】同実施例に係る自動調剤装置の機能的構成を示すブロック図。
【図１１】同実施例の自動調剤装置における測定用薬剤移送部及びＨＰＬＣ装置を示す模式図。
【図１２】同実施例の自動調剤装置における測定用薬剤移送部の他の構成例を示す模式図。
【図１３】本発明の自動調剤装置における薬剤検査部又は測定用薬剤移送部の他の構成例を示す模式図であり、(a)はシリンジを移動させて薬剤を移送するものを示し、(b)はシリンジを移動させずに薬剤を移送するものを示す。
【符号の説明】
【００５６】
１１…薬剤容器
１２…調製容器
３０…検査用容器
１００…自動調剤装置
１２０…薬剤調製部
１３０…薬剤検査部
１３１、１７１…検査流路
１３２…送液ポンプ
１３３…測定器
１３４…信号処理部
１４…シリンジ
１７０…測定用薬剤移送部
１７３…送液流路
２００…通信ネットワーク
３００…医師用端末
４００…処方データ管理サーバ
５００…ＨＰＬＣ装置
５３０…試料導入部
６００…解析装置
【図１】
2010022579.tif 000003
【図２】
2010022579.tif 000004
【図３】
2010022579.tif 000005
【図４】
2010022579.tif 000006
【図５】
2010022579.tif 000007
【図６】
2010022579.tif 000008
【図７】
2010022579.tif 000009
【図８】
2010022579.tif 000010
【図９】
2010022579.tif 000011
【図１０】
2010022579.tif 000012
【図１１】
2010022579.tif 000013
【図１２】
2010022579.tif 000014
【図１３】
2010022579.tif 000015